(57)【要約】【課題】  盛土や切土の斜面に打ち込むことで、優れた排水特性が得られるとともに、引き抜き防止力を高めることで土壌の補強とアンカー機能を向上させる排水パイプを提供すること。【解決手段】  本発明の排水パイプ１は、中空状のパイプ本体２と、パイプ本体２の周囲に穿孔された複数の水抜孔３と、パイプ本体２の一端に形成された扁平状の閉塞部４とを備え、特に、前記パイプ本体２の周囲に、一端に切欠部１２を備える長尺状の凹状部１０を形成したことを特徴とする。  また前記凹状部１０は、閉塞部４方向に深溝状に傾斜されており、切欠部１２は凹状部１０の深溝部１３に形成されている。さらに前記凹状部１０は、前記水抜孔３の数と同数に形成されている。【選択図】図１
2015137537.tif 000002
【特許請求の範囲】
【請求項１】
中空状のパイプ本体と、パイプ本体の周囲に穿孔された複数の水抜孔と、パイプ本体の一端に形成された扁平状の閉塞部とを備える排水パイプにおいて、
前記パイプ本体の周囲に、一端に切欠部を備える長尺状の凹状部を形成したことを特徴とする排水パイプ。
【請求項２】
前記凹状部は、閉塞部方向に深溝状に傾斜されている請求項１記載の排水パイプ。
【請求項３】
前記切欠部は、凹状部の深溝部に形成されている請求項１または２記載の排水パイプ。
【請求項４】
前記凹状部は、前記水抜孔の数と同数に形成されている請求項１乃至３のうちいずれか１項に記載の排水パイプ。
【発明の詳細な説明】
【技術分野】
【０００１】  本発明は優れた排水特性と土壌の補強、及びアンカー機能を兼ね備えた排水パイプに関する。
【背景技術】
【０００２】  従来より、道路や住宅地等の盛土や切土の斜面には、補強用と地盤内の排水効果を兼ね備える排水パイプが打ちこまれている。一般的な排水パイプは、中空状のパイプ本体と、パイプ本体の周囲に穿孔された複数の水抜孔と、パイプ本体の一端に形成された扁平状の閉塞部とを備える。【０００３】  また上述の排水パイプに関連する従来技術として、水抜き穴を備えた排水パイプを原因とする土壌の崩落を有効に防止することができる排水パイプがある（例えば特許文献１参照）。
上掲特許文献１の排水パイプは、不安定な土砂部の斜面に打ち込み又は挿入される所定長さのパイプ本体を形成し、このパイプ本体の周面に内部と連通する複数個の水抜き穴を形成し、前記土砂部の斜面に打ち込み又は挿入された前記パイプ本体の露出部側の端部から所定長さにわたって前記パイプ本体の内部を通って排出される水が前記土砂部に流出することがない非流出部を形成したことを特徴とするものである。
【先行技術文献】
【特許文献】
【０００４】
【特許文献１】特開２００３−１５５７３７号公報（特許請求の範囲等）
【発明の概要】
【発明が解決しようとする課題】  しかしながら上掲特許文献１の排水パイプは、排水パイプを原因とする土壌の崩落を有効に防止することができるが、パイプ本体の周囲が平滑状に形成されているため、土砂部の斜面に打ち込んだ後、経時においてパイプ本体が地中から抜けやすくなるという問題が生じた。【０００５】  そこで本発明は上記の点に鑑み、盛土や切土の斜面に打ち込むことで、優れた排水特性が得られるとともに、引き抜き防止力を高めることで土壌の補強とアンカー機能を向上させる排水パイプを提供することにある。
【解決を解決するための手段】
【０００６】  上記課題を解決するために本発明の排水パイプは、中空状のパイプ本体と、パイプ本体の周囲に穿孔された複数の水抜孔と、パイプ本体の一端に形成された扁平状の閉塞部とを備える排水パイプにおいて、前記パイプ本体の周囲に、一端に切欠部を備える長尺状の凹状部を形成したことを特徴とする。
【０００７】  また前記凹状部は、閉塞部方向に深溝状に傾斜されている。
【０００８】  また前記切欠部は、凹状部の深溝部に形成されている。
【０００９】  さらに前記凹状部は、前記水抜孔の数と同数に形成されている。
【発明の効果】
【００１０】  本発明の排水パイプは、パイプ本体の周囲に、一端に切欠部を備える長尺状の凹状部を形成し、凹状部は閉塞部方向に深溝状に傾斜されており、さらに切欠部は、凹状部の深溝部に形成されている。そのため、附属品等の部材を必要とせず低コストで製造できる。
【００１１】  また、パイプ本体の周囲に形成された凹状部により、盛土や切土の斜面に打ち込んだ際に引き抜き防止力が高まり、土壌の補強とアンカー機能を向上させることができる。
【図面の簡単な説明】
【００１２】
【図１】本発明の排水パイプの斜視図である。
【図２】前記排水パイプの断面図である。
【図３】本発明の排水パイプの全体図である。
【図４】傾斜部に打ち込んだ排水パイプの拡大図である。
【図５】本発明の排水パイプの使用状態の全体図である。
【発明を実施するための形態】
【００１３】  本発明の排水パイプは、盛土や切土の斜面に打ち込むことで、優れた排水特性が得られるとともに、引き抜き防止力を高めることで土壌の補強とアンカー機能を向上させることを特徴とする。
以下、本発明の排水パイプにおける実施の形態を図面に基づいて説明する。
【００１４】  図１乃至図３に示す排水パイプ１は、道路や住宅地等の盛土や切土の斜面に打ち込むことにより、盛土の補強と地盤内の排水の特性を有する。前記排水パイプ１は、中空状のパイプ本体２と、パイプ本体２の周囲に穿孔された複数の水抜孔３と、パイプ本体２の一端に形成された扁平状の閉塞部４とからなる。
【００１５】  パイプ本体２は、直径６０ｍｍ、長さが１８００ｍｍ程度からなる。また前記パイプ本体２は、連結具を用いることにより３６００ｍｍ程度の長さに連結することができる。
【００１６】  前記パイプ本体２の周囲には、水抜き用の水抜孔３が長手方向および周方向に複数穿孔されている。また前記水抜孔３は５０ｍｍの長さを呈しており、５０ｍｍ間隔で長さ方向に等間隔に穿孔されている。また前記水抜孔３はパイプ本体２の周方向に千鳥状態に穿孔されている。
【００１７】  また特に、前記パイプ本体２の周囲には、長尺状の凹状部１０が形成されている。前記凹状部１０は、長手方向に形成された溝部１１と、溝部１１の深溝部１３に形成された切欠部１２とからなる。
【００１８】  前記溝部１１は、閉塞部４方向に向かうにつれて深溝状に傾斜された状態に形成されている。また、前記溝部１１の深溝部１３には切欠部１２が穿孔されている。
【００１９】  前記切欠部１２は半円状を呈しており、図２に示すように、パイプ本体２の内側に空間部１４が形成される。そのことにより、盛土や切土の斜面に打ち込んだ際、前記水抜孔３とともに地盤内の水分を排水パイプ１の外に排出することができ、優れた排水特性が得られる。
【００２０】  また排水パイプ１を地中に打ち込んだ後、しばらくすると、図４に示すように切欠部１２の近傍には土砂が配置される。そのため、引き抜き方向への抵抗力が向上してアンカー機能を高めることができる。
【００２１】  また前記凹状部１０を形成する箇所および数量は特に限定されるものではないが、好ましくは、前記水抜孔３の数と同数に形成することが望ましい。なお、前記凹状部１０はパイプ本体２の周方向に千鳥状態に形成されている。
【００２２】  次に、本発明の排水パイプの使用方法を図４及び図５に基づいて説明する。
排水パイプ１を閉塞部４方向から盛土や切土の斜面２０にやや傾斜させた状態で打ち込む。この際、図５に示すように、連結具５を用いることにより、約３６０ｍｍ程度の長さに連結することができる。この状態でしばらくすると、地中内の水分Ａを排水パイプ１の外部へ排出することができる。
【００２３】  また図４に示すように、凹状部１０であって、特に切欠部１２近傍には土砂が配置される。そのため、引き抜き方向への抵抗力が向上してアンカー機能が高まり、土砂崩れ等が発生しても排水パイプ１の抜け落ちを防ぐことができる。
【符号の説明】
【００２４】１    排水パイプ
２    パイプ本体
３    水抜孔
４    閉塞部
５    連結具
１０  凹状部
１１  溝部
１２  切欠部
１３  深溝部
１４  空間部
Ａ    水分
【図１】
2015137537.tif 000003
【図２】
2015137537.tif 000004
【図３】
2015137537.tif 000005
【図４】
2015137537.tif 000006
【図５】
2015137537.tif 000007